(57)【特許請求の範囲】
【請求項１】
上下に複数段積み重ねられた各防音パネルの側面板に、カバー材が、前記各防音パネルの側面板との間に隙間を設けた状態でそれぞれ取付けられると共に、上下に隣接する上段のカバー材の下端に、隙間を存して下段のカバー材の上端が覆い被せられ、もって各カバー材の外側の面が各防音パネルの新たな外面となされたことを特徴とする防音パネルのリフレッシュ方法。
【請求項２】
カバー材は、防音パネルの側面板との間の隙間が上端より下端にかけて漸次狭くなるように、各防音パネルの側面板に傾斜状にそれぞれ取付けられていることを特徴とする請求項１に記載の防音パネルのリフレッシュ方法。
【請求項３】
カバー材の外側の面に、防汚性塗料による防汚層が形成されていることを特徴とする請求項１又は２に記載の防音パネルのリフレッシュ方法。
【請求項４】
カバー材の外側の面に、光触媒含有層が形成されていることを特徴とする請求項１又は２に記載の防音パネルのリフレッシュ方法。
【請求項５】
カバー材の外側の面に、難貼着性層が形成されていることを特徴とする請求項１又は２に記載の防音パネルのリフレッシュ方法。
【請求項６】
カバー材の外側の面に、反射体が設けられていることを特徴とする請求項１又は２に記載の防音パネルのリフレッシュ方法。
【請求項７】
カバー材の外側の面に、蓄光塗料による蓄光層が形成されていることを特徴とする請求項１又は２に記載の防音パネルのリフレッシュ方法。
【発明の詳細な説明】
【０００１】
【発明の属する技術分野】
本発明は、防音パネルのリフレッシュ方法に関するものである。
【０００２】
【従来の技術】
従来、道路等の側縁に立設されて車両等の騒音を低減させるための防音壁として、またその他の防音設備として、多数の開孔を有する前面側の側面板とその背後に設けられた背面側の側面板とにより形成された中空内に吸音材が内装され、前面側の側面板の開孔より中空内に入射した騒音が吸音材により吸音されるようになされた吸音パネルが用いられている。
【０００３】
【発明が解決しようとする課題】
かかる防音パネルは、施工されて長期間風雨や車両の排気ガス等にさらされると、側面板が汚れや破損等によって見苦しいものとなる。従来、このような場合には、既設の防音パネルを新しいものに取り替えたり、既設の防音パネルの外面を塗装したり、外面を洗浄液で洗浄する等してリフリッシュを図っている。
【０００４】
しかしながら、新しいものに取り替えるのは、既設のものの取り外しと新設作業とが必要であることから、非常に手間であり、長期の交通規制が必要になると共に、新設以上にコスト高になり、又既設のものの廃棄物処理等の問題もある。又塗装による場合は、現場施工であるために塗膜品質が安定しにくく、一定の品質に管理するのが困難であり、又塗料が周囲に飛散することから、環境上の問題もある。さらに洗浄による場合は、洗浄液を含む汚水が発生し、その汚水処理が問題となる。
【０００５】
そこで本発明は、上記の如き問題点を解決し、容易且つコスト安であり、さらに短期間でリフレッシュすることができ、且つ廃棄物処理の問題がなく、長期的に美観を保つことのできる防音パネルのリフレッシュ方法を提供せんとするものである。
【０００６】
【課題を解決するための手段】
上記目的を達成するために、本発明は次のような構成としている。すなわち本発明に係る防音パネルのリフレッシュ方法は、上下に複数段積み重ねられた各防音パネルの側面板に、カバー材が、前記各防音パネルの側面板との間に隙間を設けた状態でそれぞれ取付けられると共に、上下に隣接する上段のカバー材の下端に、隙間を存して下段のカバー材の上端が覆い被せられ、もって各カバー材の外側の面が各防音パネルの新たな外面となされたことを特徴とするものである。
【０００７】
本発明によるリフレッシュ方法は、防音パネルの側面板にカバー材を取付け、このカバー材の外側の面を防音パネルの新たな外面とするので、従来の新しいものに取り替える場合に較べて、非常に容易であり、又カバー材のコストしか発生しないので安価であり、廃棄物処理の問題もなく、且つ短期間に完了するので、長期の交通規制の必要がなく、又塗装する場合に較べて、一定の品質でリフレッシュすることができ、さらに洗浄する場合に発生する汚水処理の問題がない。
【０００８】
又前記カバー材は、防音パネルの側面板との間に隙間を設けた状態で、防音パネルの側面板に取付けられているので、発錆により防音パネルの側面板等からサビ汁が流出しても、サビ汁は前記隙間を流れ、カバー材の外側の面にはみ出ることがないので、長期的に美観を保つことができる。
【００１０】
又、発錆により上段の防音パネルの側面板等からサビ汁が流出し、その流出したサビ汁がカバー材と側面板との隙間を下方に流れても、上段のカバー材の下端に下段のカバー材の上端を覆い被せているので、サビ汁が、下段のカバー材の外側の面にはみ出ることがない。
【００１１】
又上段のカバー材の下端と、その下端に覆いかぶせた下段のカバー材の上端とが接触していると、風圧等による上下段のカバー材の振動により、音鳴りが発生するが、上段のカバー材の下端と、下段のカバー材の上端との間に隙間を設けているので、音鳴りが抑制され、又水溜まり等によるサビの発生が少なくなる。前記隙間は、通常の風圧等によって上段のカバー材の下端と、下段のカバー材の上端とが接触しない程度とするのが好ましく、通常は、１０ｍｍ以上とするのが好ましい。
【００１２】
なお上下に複数段積み重ねられた各防音パネルをリフレッシュする場合において、カバー材は、防音パネルの側面板に対して並行に取付けられてもよいが、上段のカバー材の下端に、隙間を存して下段のカバー材の上端を覆い被せているので、下段になる程、カバー材が防音パネルの側面板に対して突出することとなる。そこで、カバー材を、防音パネルの側面板との間の隙間が上端より下端にかけて漸次狭くなるように、各防音パネルの側面板に傾斜状にそれぞれ取付けるようにすれば、各段のカバー材の突出を一様にすることができると共に、上段のカバー材の下端と、その下端に覆いかぶせた下段のカバー材の上端との間の隙間を容易に設けることができる。
【００１３】
前記カバー材の材質は、特に限定されるものではなく、鉄鋼、アルミニウム合金、ステンレス等の金属や樹脂ラミネート金属、セラミック等の無機材、合成樹脂等が適宜使用される。又カバー材の形状も限定はないが、薄い板状のものが好ましく、さらに多数の開孔を有する前面側の側面板に取付け、この前面側の側面板をリフレッシュする場合は、吸音性能を低下させないように、前面側の側面板に設けた多数の開孔と同じような開孔をカバー材に多数形成したり、カバー材をパンチング孔の開いた板材や網目パネル状で形成するのが好ましい。
【００１４】
カバー材は、単にリフレッシュのみを意図するのであれば、防音パネルの外面を構成する側面板とそっくり同じ形態のものであってもよいが、その外面と異なる機能をもった形態にすることもでき、さらにその外面の機能に加えてこのカバー材に他の機能を付加することができる。
【００１５】
例えば、カバー材の表面の汚れを防止するために、カバー材の外側の面に、例えばシリコーン系やフッ素系等の防汚性塗料を塗布し、防汚層を形成してもよい。
【００１６】
又、大気中の窒素酸化物等を除去するために、カバー材の外側の面に、二酸化チタン等の光触媒を含有する光触媒含有層を形成してもよい。二酸化チタン等の光触媒は、紫外線によって活性化され、その活性化によって発現された強い酸化力により、空気中の窒素酸化物等は硝酸等に酸化されて除去される。又活性化された光触媒によりカバー材の表面を親水化させることにより、表面に付着した汚れが雨水等により洗い流れるようにすることもできる。又光触媒含有層を形成することによって親水性を付与してもよい。
【００１７】
又、不必要な貼り紙を防止するために、カバー材の外側の面に、シリコーン塗料等を塗布して難貼着性層を形成し、貼り紙を貼り付けにくいようにしてもよい。
【００１８】
又、カバー材の外側の面に、車両のヘッドライトの光を再帰反射するような反射体を設け、車両に対して視線誘導を行うようにしてもよい。
【００１９】
又、カバー材の外側の面に、蓄光塗料による蓄光層を形成し、夜間の視認性を高めるようにしてもよい。
【００２０】
以上の他、カバー材の外側の面に発光ダイオード、エレクトロルミネッセンス等の自発光体を設けてもよく、カバー材に吸音材を設けてもよく、カバー材が吸音材から形成されていてもよく、特に付加する機能については限定されるものではない。上記付加機能は、防音パネルに直接設けることは非常に手間であるが、カバー材に設けることは極めて容易である。
【００２１】
又本発明は、道路に既に施工されて汚れや破損等した防音パネルに対するリフリッシュ方法として一般には適応されるが、既存の防音パネルに他の機能を具備させるため等に、道路に施工する前の新規な防音パネルに適用されてもよい。
【００２２】
【発明の実施の形態】
以下に本発明の実施の一形態につき図面に基づき具体的に説明する。
図１は本発明による実施の一形態であって、既存の防音パネルの背面側をリフレッシュする状態を示す分解斜視図であり、図２は図１において、既存の防音パネルの背面側をリフレッシュした状態を示す断面図、図３は図２の他の断面図である。
【００２３】
図面において、１は防音パネルであり、一段又は上下に複数段積み重ねられると共に、それらの両端部がＨ型鋼よりなる支柱Ｓの凹溝に嵌入支持されて、例えば防音壁として構成される。各防音パネル１は、前面側と背面側とにそれぞれ設けられた側面板１１により形成された中空内に吸音材１２が内装された通常のものであり、前面側の側面板１２ａに多数の開孔１３が設けられ、この多数の開孔１３より中空内に入射した騒音が吸音材１２により吸音されると共に、外部に漏れないように背面側の側面板１１ｂにより遮音されるようになされている。
【００２４】
２はカバー材であって、前記各防音パネル１をリフレッシュするものであり、本形態では各防音パネル１の背面側の側面板１１ｂにそれぞれ取付けられ、そのカバー材２により各防音パネル１の背面側がリフレッシュされている。すなわち取付けられたカバー材２の外側の面は、各防音パネル１の背面側の側面板１１ｂの外面に代わり、新たな外面を構成するものである。
【００２５】
このカバー材２は、既存の外面を構成する背面側の側面板１１ｂとそっくり同じ形態のものであってもよいし、本形態の如く外側の面を凹凸状としてもよく、又その凹凸状とした外側の面に光触媒含有層を形成し、紫外線によって活性化させた光触媒で、空気中の窒素酸化物等を補足し、硝酸等に酸化して除去させるようにしたものでもよい。このように、光触媒含有層を形成する場合は、カバー材２の外側の面を凹凸状とすることにより、空気中の窒素酸化物等に触れる面積が大きくなり、光触媒による窒素酸化物等の補足効率を高めることができる。又光触媒含有層によってカバー材２の外側の面を親水化し、付着する汚れが雨水で容易に洗い流されるようにしてもよい。
【００２６】
３は、カバー材２を各防音パネル１の背面側の側面板１１ｂに取付けるための取付材であり、この取付材３を介してカバー材２が各防音パネル１の背面側の側面板１１ｂに、その側面板１１ｂとの間に隙間４を設けた状態で取付けられると共に、上下に隣接して取付けられた上段のカバー材２の下端２１に、下段のカバー材２の上端２２が覆い被せられている。
【００２７】
なお取付材３は、本形態では、上端から下端にかけて奥行き寸法を漸次狭くした形状とすることにより、カバー材２と、各防音パネル１の側面板１１ｂとの間の隙間４が上端より下部にかけて漸次狭くなるように傾斜状に取付けられ、又上下に隣接する上段のカバー材２の下端２１と、その下端２１に覆い被せられた下段のカバー材２の上端２２との間に隙間５を存して取付けられている。
【００２８】
前記取付材３と側面板１１ｂとの取付け、及び取付材３ととカバー材２との取付けは、一般にはリベットやボルト等により行われるが、特にその取付け方法は限定されるものではない。又取付材３の代わりに、カバー材２の裏面や側面板１１ｂから取付けるための取付脚等を突出させてもよく、前記取付材３に限定されるものではない。
【００２９】
かようにして、上下に複数段積み重ねられた各防音パネル１の背面側に、前記取付材３を介してカバー材２がそれぞれ取付けられ、この各カバー材２によって、各防音パネル１の背面側がリフレッシュされている。
【００３０】
上記形態においては、防音パネル１の背面側の側面板１１ｂにカバー材２を取付けることにより、背面側をリフレッシュしているが、多数の開孔１３を有する前面側の側面板１１ａにカバー材２を取付け、前面側をリフレッシュしてもよく、又前面側と背面側の両方にカバー材２を取付け、前面側と背面側の両方をリフレッシュしてもよい。
【００３１】
またカバー材２を例えば側面板１１の一部にのみ取付けて、その一部のみをリフレッシュしてもよいし、側面板１１の全体を覆うような一個のカバー材２を取付けてもよいし、同一のカバー材２を複数取付けて側面板１１の全体を覆うようにしてもよく、異なる種類のカバー材２を組み合わせて一部又は全体を覆うように取付けてもよく、カバー材２の大きさや形態等は特に限定されるものではない。
【００３２】
又カバー材２に任意の付加機能を具備させることもできる。例えば前記例示した如く光触媒含有層をカバー材２の外側の面に形成してもよいし、不必要な貼り紙を防止するために、カバー材２の外側の面に、シリコーン塗料等を塗布して難貼着性層を形成し、貼り紙を貼り付けにくいようにしてもよく、又、カバー材２の外側の面に、車両のヘッドライトの光を再帰反射するような反射体を設け、車両に対して視線誘導を行うようにしてもよく、又、カバー材２の外側の面に、蓄光塗料による蓄光層を形成し、夜間の視認性を高めるようにしてもよい。
【００３３】
以上の他、カバー材２の外側の面に発光ダイオード、エレクトロルミネッセンス等の自発光体を設けてもよく、カバー材２に吸音材を設けてもよく、カバー材２が吸音材から形成されていてもよく、特に付加する機能についても限定されるものではない。上記付加機能は、防音パネル１自体に直接設けることは非常に手間であるが、カバー材２に設けることは極めて容易である。
【００３４】
【発明の効果】
本発明によるリフレッシュ方法は、防音パネルの側面板にカバー材を取付け、このカバー材の外側の面を防音パネルの新たな外面とするので、従来の新しいものに取り替える場合に較べて、非常に容易であり、又カバー材のコストしか発生しないので安価であり、廃棄物処理の問題もなく、且つ短期間に完了するので、長期の交通規制の必要がなく、又塗装する場合に較べて、一定の品質でリフレッシュすることができ、さらに洗浄する場合に発生する汚水処理の問題がない。
【００３５】
又前記カバー材は、防音パネルの側面板との間に隙間を設けた状態で、防音パネルの側面板に取付けられているので、発錆により防音パネルの側面板等からサビ汁が流出しても、サビ汁は前記隙間を流れ、カバー材の外側の面にはみ出ることがないので、長期的に美観を保つことができる。
【図面の簡単な説明】
【図１】本発明による実施の一形態であって、既存の防音パネルの背面側をリフレッシュする状態を示す分解斜視図である。
【図２】図１において、既存の防音パネルの背面側をリフレッシュした状態を示す断面図である。
【図３】図２における他の断面図である。
【符号の説明】
１      防音パネル
１１    側面板
１１ａ  前面側の側面板
１１ｂ  背面側の側面板
１２    吸音材
１３    開孔
２      カバー材
２１    下端
２２    上端
３      取付材
４      隙間
５      隙間
【図１】
0003833011.tif 000002
【図２】
0003833011.tif 000003
【図３】
0003833011.tif 000004